(57)【要約】本発明は、（ａ）布帛柔軟化シリコーンを組成物の少なくとも０．５重量％、及び（ｂ）脂肪酸、及び（ｃ）（ｉ）非アルコキシル化陰イオン性界面活性剤を界面活性剤系の少なくとも７５重量％と（ｉｉ）アルコキシル化界面活性剤を界面活性剤系の２５重量％未満とを含む界面活性剤系、及び（ｄ）１種類以上の洗濯洗剤補助剤成分を含む、洗浄中に柔軟化する液体洗濯洗剤組成物に関する。【特許請求の範囲】
【請求項１】
洗浄中に柔軟化する液体洗濯洗剤組成物であって、
（ａ）布帛柔軟化シリコーンを組成物の少なくとも０．５重量％、及び
（ｂ）脂肪酸、及び
（ｃ）
（ｉ）非アルコキシル化陰イオン性界面活性剤を界面活性剤系の少なくとも７５重量％と
（ｉｉ）アルコキシル化界面活性剤を界面活性剤系の２５重量％未満と
を含む界面活性剤系、及び
（ｄ）１種類以上の洗濯洗剤補助剤成分
を含む、組成物。
【請求項２】
該界面活性剤系が、アルコキシル化界面活性剤を該界面活性剤系の１５重量％未満含む、請求項１に記載の組成物。
【請求項３】
該組成物が、布帛柔軟化シリコーンを該組成物の０．８重量％より多く含む、請求項１又は２に記載の組成物。
【請求項４】
該非アルコキシル化陰イオン性界面活性剤と該脂肪酸とを組み合わせた重量と、該アルコキシル化界面活性剤の重量との比が、３：１より大きく、好ましくは５：１以上である、請求項１〜３のいずれか１項に記載の組成物。
【請求項５】
該非アルコキシル化陰イオン性界面活性剤と該脂肪酸とを組み合わせた重量と、該アルコキシル化界面活性剤の重量との比が、１０：１〜２０：１である、請求項４に記載の組成物。
【請求項６】
該布帛柔軟化シリコーンが、１μｍ〜５０μｍ未満の一次粒径を有するエマルションの形態である、請求項１〜５のいずれか１項に記載の組成物。
【請求項７】
該エマルションが、１μｍ〜５μｍ未満の一次粒径を有する、請求項６に記載の組成物。
【請求項８】
該組成物が、アルコキシル化界面活性剤を該組成物の２重量％未満含む、請求項１〜７のいずれか１項に記載の組成物。
【請求項９】
該非アルコキシル化陰イオン性界面活性剤とアルコキシル化界面活性剤との重量比が、７：１〜１５：１である、請求項１〜８のいずれか１項に記載の組成物。
【請求項１０】
該布帛柔軟化シリコーンが、ポリジメチルシロキサンである、請求項１〜９のいずれか１項に記載の組成物。
【請求項１１】
該組成物が、界面活性剤系を該組成物の１０重量％〜５０重量％含む、請求項１〜１０のいずれか１項に記載の組成物。
【請求項１２】
該非アルコキシル化陰イオン性界面活性剤が、アルキルサルフェート界面活性剤及び／又はアルキルベンゼンスルホネート界面活性剤である、請求項１〜１１のいずれか１項に記載の組成物。
【請求項１３】
該アルコキシル化界面活性剤が、アルコキシル化非イオン性界面活性剤である、請求項１〜１２のいずれか１項に記載の組成物。
【請求項１４】
該アルコキシル化非イオン性界面活性剤が、平均エトキシル化度５〜９のエトキシル化Ｃ１２〜Ｃ１５アルコールである、請求項１３に記載の組成物。
【請求項１５】
該組成物が、脂肪酸を該組成物の５重量％〜２０重量％含む、請求項１〜１４のいずれか１項に記載の組成物。
【請求項１６】
該脂肪酸が、Ｃ１２〜Ｃ１８置換又は非置換脂肪酸である、請求項１〜１５のいずれか１項に記載の組成物。
【請求項１７】
前記組成物が、布帛柔軟化粘土を更に含む、請求項１〜１６のいずれか１項に記載の組成物。
【請求項１８】
該組成物が、布帛柔軟化粘土を該組成物の２重量％〜８重量％含む、請求項１７に記載の組成物。
【請求項１９】
該布帛柔軟化粘土が、モンモリロナイト粘土である、請求項１７又は１８に記載の組成物。
【請求項２０】
該組成物が、布帛柔軟化四級アンモニウム化合物を該組成物の１０重量％未満含む、請求項１〜１９のいずれか１項に記載の組成物。
【請求項２１】
該組成物が、水溶性物質によって少なくとも部分的に封入され、好ましくは完全に封入されている、請求項１〜２０のいずれか１項に記載の組成物。
【請求項２２】
洗濯プロセス中の布帛へのシリコーンの沈着を向上させるための、請求項１〜２１のいずれか１項に記載の組成物の使用。
【発明の詳細な説明】
【技術分野】
【０００１】
本発明は、液体洗濯洗剤組成物、とりわけ、洗浄中に柔軟化する液体洗濯洗剤組成物に関する。
【背景技術】
【０００２】
洗浄中に柔軟化する液体洗濯洗剤組成物は、洗浄プロセス中に布帛を柔軟化及びクリーニングすることができる。シリコーンが、布帛柔軟化活性物質として使用でき、洗浄プロセス中に布帛柔軟化効果を提供するように液体洗濯洗剤組成物中に組み込まれ得ることが知られている。しかし、液体洗濯洗剤組成物中にシリコーンを単に組み込むことによって、必ずしも組成物に良好な布帛柔軟化性能が付与されるとは限らない。
【０００３】
洗浄プロセス中に良好な布帛柔軟化性能を達成するため、洗剤製造業者らは、シリコーンエマルションの使用を考慮してきた。例えば、ＰＣＴ国際公開特許ＷＯ９７／３１９９７は、洗浄中に柔軟化する液体洗濯洗剤組成物中に使用できるシリコーンエマルションを記載している。しかし、これらのシリコーンエマルションの布帛柔軟化性能はまだ不十分であり、改善の必要がある。
【０００４】
これらのシリコーンエマルションの布帛柔軟化性能を改善する１つの方法は、それらを陽イオン性布帛柔軟化化合物と組み合わせて使用することである。例えば、ＰＣＴ国際公開特許ＷＯ９７／３１９９８は、洗浄中に柔軟化する液体洗濯洗剤組成物中に使用できる、シリコーンエマルションと陽イオン性布帛柔軟化化合物との組み合わせを記載している。しかし、シリコーンエマルションと陽イオン性布帛柔軟化化合物との組み合わせは、洗浄中に柔軟化する液体洗濯洗剤組成物のクリーニング及び白さ維持の性能を低下させる。
【発明の開示】
【発明が解決しようとする課題】
【０００５】
この組み合わせが組成物のクリーニング及び白さ維持の性能に及ぼす負の影響を考慮すると、洗剤製造業者は、良好な布帛柔軟化性能と良好なクリーニング及び白さ維持の性能とを両方とも有する、洗浄中に柔軟化する液体洗濯洗剤組成物を成功裡に処方することができなかった。洗浄中に柔軟化する液体洗濯洗剤組成物を処方するとき、洗剤製造業者は、組成物の布帛柔軟化性能を、組成物のクリーニング及び白さ維持性能に対して慎重に均衡させなければならない。現在までのところ、布帛柔軟化シリコーンを含み良好な布帛柔軟化性能を有する、既知の、洗浄中に柔軟化する液体洗濯洗剤組成物は全て、十分なクリーニング及び白さ維持の性能を有していない。
【課題を解決するための手段】
【０００６】
本願発明者らは、シリコーンを含み、良好な布帛柔軟化性能と良好なクリーニング及び白さ維持の性能とを両方とも有する、洗浄中に柔軟化する液体洗濯洗剤組成物を開発した。本発明は、（ａ）布帛柔軟化シリコーンを組成物の少なくとも０．５重量％、及び（ｂ）脂肪酸、及び（ｃ）（ｉ）非アルコキシル化陰イオン性界面活性剤を界面活性剤系の少なくとも７５重量％と（ｉｉ）アルコキシル化界面活性剤を界面活性剤系の２５重量％未満とを含む界面活性剤系、及び（ｄ）１種類以上の洗濯洗剤補助剤成分を含む、洗浄中に柔軟化する液体洗濯洗剤組成物を提供する。本発明の好ましい実施形態では、非アルコキシル化陰イオン性界面活性剤と脂肪酸とを組み合わせた重量と、アルコキシル化界面活性剤の重量との比は、３：１より大きく、好ましくは５：１以上である。
【発明を実施するための最良の形態】
【０００７】
（布帛柔軟化シリコーン）
本組成物は、布帛柔軟化シリコーンを組成物の少なくとも０．５重量％、好ましくは０．８重量％より多く、又は１重量％〜５重量％、又は更には１重量％〜３重量％含む。布帛柔軟化シリコーンは、典型的には、次の一般式を有する：
【化１】
2005524760.tif 000002
式中、各繰り返し単位、−（Ｓｉ（Ｒ１）（Ｒ２）Ｏ）−中の各Ｒ１及びＲ２は独立して、Ｃ１〜Ｃ１０アルキルラジカル若しくはアルケニルラジカル、フェニル、置換アルキル、置換フェニル、又は−［−Ｒ１Ｒ２Ｓｉ−Ｏ−］−の単位から選択され；ｘは５０〜３００，０００、好ましくは１００〜１００，０００、より好ましくは２００〜５０，０００であり；置換アルキル又は置換フェニルは、典型的には、ハロゲン基、アミノ基、ヒドロキシル基、四級アンモニウム基、ポリアルコキシ基、カルボキシル基、又はニトロ基で置換され；ポリマーはヒドロキシル基、水素又は−ＳｉＲ３で終端をなし、式中、Ｒ３はヒドロキシル基、水素、メチル基、又は官能基である。
【０００８】
好ましくは、布帛柔軟化シリコーンは、ポリジメチルシロキサンである。布帛柔軟化シリコーンの平均分子量は、粘度で測定した場合、典型的には、０．００５ｍ２／ｓ（５，０００ｃｓｔ）〜５ｍ２／ｓ（５，０００，０００ｃｓｔ）、又は０．０７５ｍ２／ｓ（７，５００ｃｓｔ）〜１ｍ２／ｓ（１，０００，０００ｃｓｔ）、又は更には、０．０１ｍ２／ｓ（１０，０００ｃｓｔ）〜０．６ｍ２／ｓ（６００，０００ｃｓｔ）である。
【０００９】
布帛柔軟化シリコーンは、ＰＣＴ国際公開特許ＷＯ０２／１８５２８に記載されるものなどの陽イオン性シリコーンポリマーであってもよい。好ましくは、布帛柔軟化シリコーンは、非荷電シリコーンポリマーと陽イオン性シリコーンポリマーとの混合物である。
【００１０】
好適な布帛柔軟化シリコーンには、米国特許第４，８９１，１６６号、ＥＰ１５０８７２、ＰＣＴ国際公開特許ＷＯ９２／０１７７３、ＰＣＴ国際公開特許ＷＯ９８／３９４０１、米国特許第５，５９３，６１１号、及び米国特許第４，８００，０２６号に記載されるものなどのアミノシリコーン類；米国特許第４，４４８，８１０号、ＥＰ４５９８２１、及びＥＰ５３０９７４に記載されるものなどの四級シリコーン類；ＰＣＴ国際公開特許ＷＯ００／７１８０６及び同ＷＯ００／７１８０７に記載されるものなどの高粘度シリコーン類；変性ポリジメチルシロキサン；米国特許第５，６６８，１０２号、米国特許第６，１３６，２１５号、及びＥＰ１０８１２７２に記載されるものなどの官能化ポリジメチルシロキサン、例えば、ＥＰ４１３４１６に記載されるものなどのペンダントのアミノ官能基を含むポリジメチルシロキサン類；陽イオン性アミノシリコーン類；シリコーンアミノエステル類；ＰＣＴ国際公開特許ＷＯ０１／２３３９４に記載されるものなどの生分解性オルガノシリコーン類；ポリ四級ポリシロキサンポリマー類；米国特許第４，８９１，１６６号に記載されるものなどの繰り返しＮ＋単位を含む陽イオン性シリコーン類；ＥＰ８７９８４０に記載されるものなどのペンダントのＥＯ／ＰＯ及びエポキシグルカミン側鎖を含むアミノシリコーン類；ＰＣＴ国際公開特許ＷＯ９９／３８９１１に記載されるものなどのコーティングされたアミノシリコーン類；ＰＣＴ国際公開特許ＷＯ９７／３２９１７に記載されるようなポリジメチルシロキサンとＥＯ／ＰＯ単位とのブロックコポリマー類；並びにこれらの混合物が挙げられる。
【００１１】
布帛柔軟化シリコーンは、好ましくは、２つ以上の異なる種類のシリコーンの混合物であってもよい。布帛柔軟化シリコーンは、高粘度シリコーンと低粘度シリコーンとの混合物であってもよい。布帛柔軟化シリコーンは、更には、官能化シリコーンと非官能化シリコーンとの混合物であってもよい。
【００１２】
布帛柔軟化シリコーンが本組成物中に存在するとき、布帛柔軟化シリコーンは、典型的には体積平均一次粒径が１μｍ〜５，０００μｍ、好ましくは１μｍ〜５０μｍであるエマルションの形態であることが好ましい。使用される界面活性剤系のため、体積平均一次粒径が１μｍ〜５μｍ未満であるエマルションの形態の布帛柔軟化シリコーンは、洗濯プロセス中に布帛に沈着され得る。シリコーンエマルションの粒径が小さい方が、処理が容易であり、貯蔵中に安定であるため、これは極めて有益である。体積平均一次粒径は、組成物の粒径を測定するために（即ち、組成物が分散体の形態である本発明の実施形態のために）以下に更に詳細に記載される方法により、コールター・マルチサイザー（Coulter Multisizer）（商標）を使用して測定することができる。
【００１３】
使用するのに好適な市販のシリコーン油類は、ダウ・コーニングにより供給されているＤＣ２００（商標）（０．０１２５ｍ２／ｓ〜０．６ｍ２／ｓ（１２，５００ｃｓｔ〜６００，０００ｃｓｔ））である。あるいは、予め形成されたシリコーンエマルションも使用に好適である。これらのエマルションは、エマルションを助けるのに有効な量の水及び／又は他の溶媒を含んでもよい。
【００１４】
（脂肪酸）
本組成物は、脂肪酸を含む。本組成物は、典型的には、脂肪酸を組成物の１重量％〜３５重量％、又は更には５重量％〜２０重量％含む。本組成物中に脂肪酸を添加すると、布帛柔軟化及びクリーニング性能が更に改善されることが分かった。好ましい脂肪酸は、Ｃ１２〜Ｃ１８飽和及び／又は不飽和脂肪酸類であり、非常に好ましいのは、このような脂肪酸類の混合物である。飽和及び不飽和脂肪酸類の混合物を使用することが好ましい場合がある。例えば、好ましいのは、ナタネ由来脂肪酸と、抜頭した全留分（topped whole cut）のＣ１６〜Ｃ１８脂肪酸との混合物、又はナタネ由来脂肪酸と牛脂アルコール由来脂肪酸との混合物である。
【００１５】
好ましい脂肪酸類は、ラウリン酸、トリデシル酸、ミリスチン酸、ペンタデシル酸、パルミチン酸、マルガリン酸、ステアリン酸、アラキジン酸、フィタン酸（phytanic acid）、ベヘン酸、及びこれらの組み合わせから成る群から選択される。脂肪酸は、パルミトレイン酸、オレイン酸、エライジン酸、バクセン酸、リノール酸、シス−エレオステアリン酸、トランス−エレオステアリン酸、リノレン酸、アラキドン酸、及びこれらの組み合わせから成る群から選択されてもよい。
【００１６】
好ましい脂肪酸類は、飽和アルキル基を含むＣ１２〜Ｃ２２脂肪酸である。他の好ましい脂肪酸類は、典型的にはヨウ素価が１５〜２５、好ましくは１８〜２２の不飽和アルキル基を含むＣ１２〜Ｃ２２脂肪酸類である。好ましい脂肪酸類は、シス：トランスの異性体の比が１：１〜２００：１、好ましくは１０：１〜２００：１である。
【００１７】
好ましい脂肪酸供給源は、ココヤシ、大豆、牛脂、パーム、パーム核、ナタネ、ラード、ひまわり、コーン、サフラワー、キャノーラ、オリーブ、落花生、及びこれらの組み合わせから成る群から選択される。
【００１８】
（界面活性剤系）
本組成物は、界面活性剤系を含む。本組成物は、典型的には、界面活性剤系を組成物の１０重量％〜５０重量％含む。界面活性剤系は、界面活性剤系の少なくとも７５重量％の非アルコキシル化陰イオン性界面活性剤、及び２５重量％未満のアルコキシル化界面活性剤を含む。界面活性剤は、追加の界面活性剤を含んでもよい。
【００１９】
界面活性剤系は、追加の沈着助剤を全く必要とすることなく、布帛柔軟化シリコーンを布帛上に十分に沈着させることができる。このように向上した布帛柔軟化シリコーンの沈着によって、良好な布帛柔軟化性能が提供され、組成物中に追加の布帛柔軟化四級アンモニウム化合物を含有する必要がなくなる。更に、界面活性剤系によって、非常に小さいシリコーン粒子が布帛に沈着できる。従って、布帛柔軟化シリコーンは、シリコーンの粒径が小さい、即ち、５μｍ未満、好ましくは１μｍ〜５μｍ未満、又は更には４μｍ未満のエマルションの形態とすることができる。以前は、より大きいシリコーン一次粒径を有するシリコーンエマルションを使用することでしか、十分なシリコーン沈着を達成することができなかった。
【００２０】
好ましくは、非アルコキシル化陰イオン性界面活性剤と脂肪酸とを組み合わせた重量と、アルコキシル化界面活性剤の重量との比は、３：１より大きく、好ましくは５：１以上、より好ましくは１０：１〜２０：１である。非アルコキシル化陰イオン性界面活性剤とアルコキシル化界面活性剤との重量比が、４：１〜３０：１、又は更には７：１〜１５：１、最も好ましくは８：１〜１２：１であることが好ましい場合がある。これらの比を有する組成物は、改善された布帛柔軟化及びクリーニング性能を有する。
【００２１】
（非アルコキシル化陰イオン性界面活性剤）
界面活性剤系は、非アルコキシル化陰イオン性界面活性剤を界面活性剤系の少なくとも７５重量％、又は更には少なくとも８０重量％、又は更には少なくとも９０重量％含む。界面活性剤系が本質的に非アルコキシル化陰イオン性界面活性剤のみから成り、典型的には他の種類の界面活性剤が界面活性剤系に意図的に添加されないことが好ましい場合さえある。
【００２２】
非アルコキシル化陰イオン性界面活性剤は、典型的には、置換又は非置換、分枝鎖又は非分枝鎖アルキルサルフェート界面活性剤；置換又は非置換、分枝鎖又は非分枝鎖アルキルスルホネート界面活性剤；置換又は非置換、分枝鎖又は非分枝鎖アルキルベンゼンサルフェート界面活性剤；置換又は非置換、分枝鎖又は非分枝鎖アルキルベンゼンスルホネート界面活性剤；及びこれらの混合物から成る群から選択される。非アルコキシル化陰イオン性界面活性剤は、好ましくは、アルキルサルフェート界面活性剤、及び／又はアルキルベンゼンスルホネート界面活性剤である。好ましくは、アルキルサルフェート界面活性剤及び／又はアルキルベンゼンスルホネート界面活性剤は、本組成物の少なくとも８重量％の濃度で存在する。より好ましくは、これらの陰イオン性界面活性剤類は、本組成物の１０重量％〜４０重量％、又は１５重量％〜４０重量％、又は更には１８重量％〜３０重量％の濃度で存在する。界面活性剤系に非アルコキシル化陰イオン性界面活性剤が１種類しか存在しないことが好ましい場合があり、例えば、界面活性剤系に存在する唯一の非アルコキシル化陰イオン性界面活性剤が、非アルコキシル化アルキルサルフェート界面活性剤であることが好ましい場合がある。あるいは、界面活性剤系に存在する唯一の非アルコキシル化陰イオン性界面活性剤が、非アルコキシル化アルキルベンゼンスルホネート界面活性剤であることが好ましい場合がある。非アルコキシル化陰イオン性界面活性剤が、塩、好ましくはナトリウム塩の形態で存在することが好ましい場合がある。
【００２３】
好適な非アルコキシル化陰イオン性界面活性剤類は、典型的には、炭素原子数９〜２２の直鎖又は分枝鎖アルキル又はアルケニル部分を含み、好ましくはＣ１２〜Ｃ１８アルキル部分を含む、一級及び／又は二級アルキルサルフェート界面活性剤類である。使用に好適であるのは、典型的には（界面活性剤の）重量平均分枝度が少なくとも５０％、又は少なくとも６０％、又は更には少なくとも８０％、及び、おそらく更には少なくとも９５％である、β−分枝鎖アルキルサルフェート界面活性剤類である。とりわけ本組成物中に粘土が存在するとき、これらの分枝鎖アルキルサルフェート界面活性剤類は改善された粘度特性を提供することが分かった。
【００２４】
非アルコキシル化陰イオン性界面活性剤は、高度に分枝状のアルキルサルフェート界面活性剤であってよい。１つの好適な、高度に分枝状のアルキルサルフェート界面活性剤は、アイサルケム（Isalchem）の商標で既知であり、コンデア（Condea）により供給されている。中鎖分枝鎖アルキルサルフェート界面活性剤類又はスルホネート界面活性剤類も、本明細書で使用される好適な非アルコキシル化陰イオン性界面活性剤類である。これらには、中鎖分枝鎖アルキルサルフェート界面活性剤類が挙げられる。典型的には、これらの中鎖分枝鎖アルキルサルフェート界面活性剤類は、直鎖一級アルキルサルフェート鎖の主鎖（即ち、硫酸化炭素原子を含む最長の直鎖状炭素鎖）を有し、これは、炭素原子数が好ましくは１２〜１９であり、その分枝鎖一級アルキル部分は、炭素原子数が好ましくは合計で少なくとも１４、且つ好ましくは２０以下である。
【００２５】
本明細書で使用するのに好適な他の非アルコキシル化陰イオン性界面活性剤類は、Ｃ５〜Ｃ２０、好ましくはＣ１０〜Ｃ１６、又はＣ１１〜Ｃ１３の置換又は非置換、分枝鎖又は非分枝鎖アルキルベンゼンスルホネート界面活性剤類の塩を含めた、非アルコキシル化陰イオン性スルホネート界面活性剤類である。また、好適な非アルコキシル化陰イオン性スルホネート界面活性剤類には、置換又は非置換、分枝鎖又は非分枝鎖のアルキルエステルスルホネート界面活性剤類、置換又は非置換、分枝鎖又は非分枝鎖のＣ６〜Ｃ２２一級及び／又は二級アルカンスルホネート界面活性剤類、及びこれらのいかなる混合物もが挙げられる。好適な非アルコキシル化陰イオン性界面活性剤類は、置換又は非置換、分枝鎖又は非分枝鎖の、Ｃ１１〜Ｃ１３アルキルベンゼンスルホネート界面活性剤類である。
【００２６】
（アルコキシル化界面活性剤）
アルコキシル化界面活性剤は、典型的には、任意のアルコキシル化非イオン性界面活性剤、アルコキシル化陰イオン性界面活性剤、アルコキシル化陽イオン性界面活性剤であり、また、任意のアルコキシル化双極性界面活性剤、及び／又はアルコキシル化両性界面活性剤とすることができる。典型的には、アルコキシル化界面活性剤は、エトキシル化アルコール非イオン性界面活性剤類、エトキシル化アルキルサルフェート陰イオン性界面活性剤類、エトキシル化アルキルスルホネート陰イオン性界面活性剤類、及びこれらの混合物から成る群から選択される。好ましくは、界面活性剤系は、界面活性剤系の１５重量％未満のアルコキシル化界面活性剤を含む。界面活性剤系は、アルコキシル化界面活性剤を含まない、即ち、アルコキシル化界面活性剤は、意図的に界面活性剤系に添加されないことが好ましい場合がある。
【００２７】
典型的には、アルコキシル化界面活性剤は、アルコキシル化非イオン性界面活性剤、典型的には、アルコキシル化アルコール非イオン化界面活性剤である。アルコキシル化非イオン性界面活性剤は、エトキシル化アルコール非イオン性界面活性剤、典型的には、平均エトキシル化度が１〜１２のエトキシル化Ｃ１０〜Ｃ２０アルコール、更により典型的には平均エトキシル化度が５〜９のエトキシル化Ｃ１２〜Ｃ１５アルコールとすることができる。典型的には、アルコキシル化アルコール非イオン化界面活性剤は、アルコキシル化一級アルコール非イオン性界面活性剤である。また、アルコキシル化界面活性剤は、アルコキシル化アルキルフェノール界面活性剤、好ましくは、エトキシル化アルキルフェノール界面活性剤とすることができる。
【００２８】
アルコキシル化界面活性剤は、アルコキシル化陰イオン性界面活性剤とすることができる。典型的には、本明細書で使用するのに好適なアルコキシル化陰イオン性界面活性剤類は、Ｃ１０〜Ｃ１８アルキルアルコキシサルフェート界面活性剤類、とりわけ、平均アルコキシル化度が１〜１０のものである。好ましいアルキルアルコキシサルフェート界面活性剤類は、平均エトキシル化度が６〜９のＣ１０〜Ｃ１８アルキルエトキシサルフェート界面活性剤類である。他の典型的なアルコキシル化陰イオン性界面活性剤類は、Ｃ１０〜Ｃ１８アルキルアルコキシカルボキシレート界面活性剤類、とりわけ好ましいのは、平均エトキシル化度が１〜５のＣ１０〜Ｃ１８アルキルエトキシカルボキシレート界面活性剤類である。特に好ましいアルコキシル化陰イオン性界面活性剤類は、次の一般式を有するアルキルポリエトキシレートサルフェート界面活性剤類である：
ＲＯ（Ｃ２Ｈ４Ｏ）ｘＳＯ３−Ｍ＋
式中、Ｒは、炭素数１０〜２２の飽和又は不飽和、分枝鎖又は非分枝鎖のアルキル部分であり、Ｍは化合物を水溶性にする陽イオン、とりわけアルカリ金属、アンモニウム又は置換アンモニウム陽イオンであり、ｘは１〜１５の数である。
【００２９】
（洗濯洗剤補助剤成分）
組成物は、１種類以上の洗濯洗剤補助剤成分を含む。典型的には、洗濯洗剤補助剤成分は、追加の布帛柔軟化化合物類、追加の界面活性剤類、ビルダー類、アルカリ性系類、布帛形態保持化合物類（fabric-integrity compounds）、粘度制御系類、漂白剤、増白剤類、酵素類、汚れ放出ポリマー類、分散剤類、移染防止剤類、香料類、腐食防止剤類、泡抑制剤類、石灰石鹸、溶媒類、染料類、加工助剤類、及びこれらの組み合わせから成る群から選択される。
【００３０】
本組成物は、追加の布帛柔軟化化合物類を含んでもよく、これらは、布帛柔軟化シリコーンに追加される。好ましい追加の布帛柔軟化化合物類には、布帛柔軟化粘土類が挙げられる。追加の布帛柔軟化化合物類には、布帛柔軟化四級アンモニウム化合物類を挙げてもよい。
【００３１】
好ましくは、本組成物は、布帛柔軟化粘土を含んでもよい。典型的には、本組成物は、布帛柔軟化粘土を組成物の１重量％〜２０重量％、又は１重量％〜１５重量％、又は更には２重量％〜８重量％含む。典型的には、布帛柔軟化粘土は、アロフェン粘土類；緑泥石粘土類（好ましい緑泥石粘土類はアメス石粘土類、ベイリクロア粘土類、シャモス石粘土類、クリノクロア粘土類、クーク石粘土類、コランドファイト（corundophite）粘土類、ダフネ石粘土類、デレス石粘土類、ゴニェライト粘土類、ニマイト粘土類、オディナイト粘土類、斜方シャモス石粘土類、パンナンタイト（pannantite）粘土類、ペニンナイト粘土類、リピドライト（rhipidolite）粘土類、須藤石粘土類、及びチュリンゲン石粘土類である）；イライト粘土類；混合層（inter-stratified）粘土類；オキシ水酸化鉄粘土類（好ましいオキシ水酸化鉄粘土類は、赤鉄鉱粘土類、針鉄鉱粘土類、鱗鉄鉱粘土類、及びフェリハイドロ石粘土類である）；カオリン粘土類（好ましいカオリン粘土類は、カオリナイト粘土類、ハロイサイト粘土類、ディッカイト粘土類、ナクライト粘土類、及びヒシンゲル石粘土類である）；スメクタイト粘土類；バーミキュライト粘土類；並びにこれらの混合物から成る群から選択される。
【００３２】
好ましくは、布帛柔軟化粘土は、スメクタイト粘土である。好ましいスメクタイト粘土類は、バイデライト粘土類、ヘクトライト粘土類、ラポナイト粘土類、モンモリロナイト粘土類、ノントロナイト粘土類（nontonite clays）、サポナイト粘土類、及びこれらの混合物である。好ましくは、スメクタイト粘土は、２八面体型スメクタイト粘土である。好ましい２八面体型スメクタイト粘土類は、モンモリロナイト粘土類である。モンモリロナイト粘土は、低電荷モンモリロナイト粘土（ナトリウムモンモリロナイト粘土又はワイオミング型モンモリロナイト粘土としても知られる）であってもよい。モンモリロナイト粘土は、高電荷モンモリロナイト粘土（カルシウムモンモリロナイト粘土又はチェト（Cheto）型モンモリロナイト粘土としても知られる）であってもよい。
【００３３】
粘土は、好ましくは波長４６０ｎｍで少なくとも６０、より好ましくは少なくとも７０、又は少なくとも８０の反射率を有する淡色結晶性粘土鉱物であってもよい。好ましい淡色結晶性粘土鉱物類は、陶土類、ハロイサイト粘土類、２八面体粘土類、例えばカオリナイト、３八面体粘土類、例えばアンチゴライト及びアメス石、スメクタイト及びホルマイト（hormite）粘土類、例えばベントナイト（モンモリロナイト）、バイデル石（beidilite）、ノントロナイト、ヘクトライト、アタパルジャイト、ピメライト、雲母、白雲母、バーミキュライト粘土類、並びに、葉蝋石／タルク、ウイレマイト及びミネソタ石粘土である。好ましい淡色結晶性粘土鉱物類は、ＧＢ２３５７５２３Ａ及びＰＣＴ国際公開特許ＷＯ０１／４４４２５に記載されている。
【００３４】
布帛柔軟化粘土が本組成物中に存在するとき、布帛柔軟化粘土は、典型的には体積平均粒径が１μｍ〜５，０００μｍ、好ましくは１μｍ〜５０μｍの分散体の形態であることが好ましい。
【００３５】
粘土は、シリコーンと組み合わせて、驚くべき布帛柔軟化性能、アイロンがけを容易にする効果を付与し、布帛の皺を減少させ、布帛にアイロンがけを容易にする効果を与え、本組成物のクリーニング及び白さ維持の性能を改善する。
【００３６】
本組成物は、１種類以上の布帛柔軟化四級アンモニウム化合物を含んでもよいが、本組成物は、好ましくは、組成物の１０重量％未満の布帛柔軟化四級アンモニウム化合物、より好ましくは８重量％未満、又は更には６重量％未満の布帛柔軟化四級アンモニウム化合物を含む。最も好ましくは、本組成物は、意図的に添加される布帛柔軟化四級アンモニウム化合物を含まない。
【００３７】
典型的な布帛柔軟化四級アンモニウム化合物は、モノアルキル四級アンモニウム界面活性剤類である。好適な布帛柔軟化四級アンモニウム化合物類の炭素原子数は、２６までである。布帛柔軟化四級アンモニウム化合物は、モノＣ１１〜Ｃ１８Ｎ−アルキル又はアルケニルアンモニウム化合物とすることができ、ここで、残りのＮの位置はメチル基、ヒドロキシエチル基、又はヒドロキシプロピル基で置換されている。
【００３８】
布帛柔軟化四級アンモニウム化合物は、Ｃ６〜Ｃ１８Ｎ−アルキル鎖を有する、陽イオン性モノアルコキシル化及びビス−アルコキシル化四級アミン化合物とすることができる。典型的には、布帛柔軟化四級アンモニウム化合物は、次の一般式を有する：
【化２】
2005524760.tif 000003
式中、Ｒ１は炭素原子数６〜１８、好ましくは炭素原子数６〜１４のアルキル又はアルケニル部分であり；Ｒ２及びＲ３はそれぞれ独立して、炭素原子数１〜３のアルキル基、好ましくはメチル基であり、最も好ましくはＲ２とＲ３が両方ともメチル基であり；Ｒ４は（好ましくは）水素、メチル及びエチルから選択され；Ｘ−は、電気的中性を提供するクロリド、ブロミド、メチルサルフェート、又はサルフェートなどの陰イオンであり；Ａはアルコキシ基、とりわけ、エトキシ基、プロポキシ基又はブトキシ基であり；ｐは０〜３０、好ましくは２〜８の数である。置換基Ｒ１、Ｒ２、Ｒ３及びＡは独立して、四級窒素原子に直接結合しているか、又はエステル結合、エーテル結合若しくは他のこのような結合を介して、四級アンモニウム原子に間接的に結合している。
【００３９】
布帛柔軟化四級アンモニウム化合物は、典型的には次の一般式を有する、陽イオン性ビス−アルコキシル化アミン化合物とすることができる：
【化３】
2005524760.tif 000004
式中、Ｒ１は炭素原子数８〜１８のアルキル又はアルケニル部分であり；Ｒ２は炭素原子数１〜３のアルキル基、好ましくはメチルであり；Ｒ３及びＲ４は独立して変化することができ、（好ましくは）水素、メチル及びエチルから選択され；Ｘ−は、電気的中性を提供するのに十分なクロリド、ブロミド、メチルサルフェート、又はサルフェートなどの陰イオンであり；Ａ及びＡ’は独立して変化することができ、それぞれＣ１〜Ｃ４アルコキシ、とりわけ、エトキシ（即ち、−ＣＨ２ＣＨ２Ｏ−）、プロポキシ、ブトキシ、及びこれらの混合物から選択され；ｐは１〜３０、好ましくは１〜４の数であり；ｑは１〜３０、好ましくは１〜４の数である。最も好ましくは、ｐとｑが両方とも１である。置換基Ｒ１、Ｒ２、Ａ及びＡ’は独立して、四級窒素原子に直接結合しているか、又はエステル結合、エーテル結合若しくは他のこのような結合を介して、四級アンモニウム原子に間接的に結合している。
【００４０】
好ましい布帛柔軟化四級アンモニウム化合物類は、ジ−長鎖、ジ−短鎖のアルキル四級アンモニウム化合物であり、好ましいのは、１つ以上の、好ましくは少なくとも２つのアルキル置換鎖がエステル結合により四級窒素原子に結合しているものである。最も好ましいものは、長鎖アルキル置換基が両方ともエステル結合を介して四級窒素原子に結合しているものである。好ましい布帛柔軟化四級アンモニウム化合物は、次式を有するジアルキルジメチルアンモニウム塩である：
Ｒ’Ｒ”Ｎ＋（ＣＨ３）２Ｘ−
式中、各Ｒ’及びＲ”は独立して、典型的には牛脂、ココヤシ油又は大豆に由来するＣ１２〜Ｃ３０基から成る群から選択され、ＸはＣｌ−又はＢｒ−である。好ましいものは、ジドデシルジメチルアンモニウムブロミド、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナッツジメチルアンモニウムクロリド、ジタロージメチルアンモニウムブロミドである。他の好ましい四級アンモニウム化合物類は、米国特許第６，０１３，６８３号に記載されている。
【００４１】
使用できる別の好適な布帛柔軟化四級アンモニウム化合物群は、陽イオン性エステル化合物類である。コリンエステル化合物類を含めた、好適な陽イオン性エステル化合物類は、米国特許第４，２２８，０４２号、米国特許第４，２３９，６６０号、及び米国特許第４，２６０，５２９号に記載されている。
【００４２】
非常に好ましい布帛柔軟化四級アンモニウム化合物は、次の一般式を有する：
Ｒ１Ｒ２Ｒ３Ｒ４Ｎ＋Ｘ−
式中、Ｒ１は次の一般式を有する：
【化４】
2005524760.tif 000005
式中、Ｒ２及びＲ３は独立して、Ｒ１、Ｃ１〜Ｃ３アルキル、及びＣ１〜Ｃ３ヒドロキシアルキルから成る群から選択され；Ｒ４はＣ１〜Ｃ３アルキル、Ｃ１〜Ｃ３ヒドロキシアルキル及び水素から成る群から選択され；Ｒ５はＣ８〜２２アルキル又はアルケニル基であり；Ｒ６はＣ１〜Ｃ３アルキルであり；ａは１〜３の数であり；ＡはＯ、ＮＨ又はＮＲ６であり；Ｘ−は、典型的には、クロリド、ブロミド、メタノエート、エタノエート、サルフェート、スルホネート、ホスフェート、ホスホネート、及びこれらの混合物から選択される陰イオンである。
【００４３】
特に好ましいのは、Ｒ５がキャノーラ油に由来するアルキル基であり；ＡがＯであり；ａが２であり；Ｒ２がＲ１であり；Ｒ３が２−（ヒドロキシエチル）であり；Ｒ４がメチルであり；Ｘがメチルサルフェートのときである。
【００４４】
本組成物は、追加の界面活性剤類を含んでもよい。典型的には、追加の界面活性剤類は、非アルコキシル化非イオン性界面活性剤類、非アルコキシル化陽イオン性界面活性剤類、非アルコキシル化双極性界面活性剤類、非アルコキシル化両性界面活性剤類、及びこれらの組み合わせである。また、好適な非アルコキシル化陽イオン性界面活性剤類は、布帛柔軟化化合物として作用してもよく、前述の布帛柔軟化四級アンモニウム化合物類の１つであってよい。
【００４５】
好適な追加の界面活性剤は、次の一般式を有するアミンオキシド界面活性剤類などの半極性非イオン性界面活性剤類である：
Ｒ１（Ｒ２）２ＮＯ、
式中、Ｒ１は炭素原子数８〜２２のアルキル基又はアルキルフェニル基であり、Ｒ２は炭素原子数１〜３のアルキル基又はヒドロキシアルキル基である。特に好ましいのは、Ｃ１０〜Ｃ１８アルキルジメチルアミンオキシドである。
【００４６】
他の好適な追加の界面活性剤は、米国特許第４，５６５，６４７号に記載されるものなどのアルキル多糖類である。典型的には、これらのアルキル多糖類は、炭素原子数６〜３０の疎水基、及び１〜１０の糖単位を含むポリグリコシド親水基などの多糖類を含む。炭素数５又は６のあらゆる還元性の糖、例えばグルコース、ガラクトースをも使用でき、グルコシル部分がガラクトシル部分で置換されていてもよい。（任意に疎水基を２、３、４などの位置に結合させ、グルコシド又はガラクトシドとは対照的にグルコース又はガラクトースを生じさせる。）糖間結合は、付加する糖単位の１つの位置と、前の糖単位の２−、３−、４−、及び／又は６位との間とすることができる。
【００４７】
他の好適な追加の界面活性剤類は、次の一般式を有する脂肪酸アミド界面活性剤類である：
【化５】
2005524760.tif 000006
式中、Ｒ６は炭素原子数７〜２１のアルキル基であり、各Ｒ７は独立して、水素、Ｃ１〜Ｃ４アルキル、及びＣ１〜Ｃ４ヒドロキシアルキルから成る群から選択される。好ましい脂肪酸アミド類はＣ８〜Ｃ２０アンモニアアミド類、モノエタノールアミド類、ジエタノールアミド類、及びイソプロパノールアミド類である。Ｃ１０〜Ｃ１８Ｎ−アルキルポリヒドロキシ脂肪酸アミド類も使用できる。典型的な例には、Ｃ１２〜Ｃ１８Ｎ−メチルグルカミド類が挙げられる。他の好適な追加の界面活性剤類は、Ｃ１０〜Ｃ１８Ｎ−（３−メトキシプロピル）グルカミドなどのＮ−アルコキシポリヒドロキシ脂肪酸アミド類を含めた、糖に由来する界面活性剤類である。低発泡性には、Ｎ−プロピル〜Ｎ−ヘキシルＣ１２〜Ｃ１８グルカミド類を使用することができる。
【００４８】
好ましくは、本組成物はビルダーを含む。典型的には、ビルダーは水溶性ビルダー化合物であり、典型的には組成物の１重量％〜６０重量％、好ましくは３重量％〜４０重量％、最も好ましくは本組成物の５重量％〜２５重量％の濃度で組成物中に存在する。
【００４９】
好適な水溶性ビルダー化合物類としては、水溶性モノマーのカルボキシレート類又はそれらの酸類、ポリカルボキシレート類又はそれらの酸類、ホモポリマー又はコポリマーのポリカルボン酸類又はそれらの塩類（但し、ポリカルボン酸は、炭素原子２個以下で、互いに離れているカルボキシルラジカルを少なくとも２個含む）、ボレート類、並びにこれらの混合物が挙げられる。モノマーのポリカルボキシレートがコスト及び性能の理由から一般に好ましいが、カルボキシレート又はポリカルボキシレートビルダーは、その種類がモノマーであってもオリゴマーであってもよい。
【００５０】
好ましいビルダーは、クエン酸及び／又はクエン酸塩である。これらのビルダーは、洗剤ビルダーとして作用することができる前述の脂肪酸類に加えて存在してもよい。非常に好ましいのは、クエン酸及び／又はクエン酸ナトリウムビルダーであり、好ましくは組成物の１重量％〜２０重量％、より好ましくは３重量％〜１５重量％、より好ましくは５重量％〜１２重量％の濃度で存在する。
【００５１】
ボレート及びホウ酸ビルダー、並びにボレート形成物質を含有するビルダーであって洗剤貯蔵又は洗濯条件下でボレートを生成し得るものが、有用な水溶性ビルダーである。
【００５２】
本発明の洗剤組成物は、好ましくは、組成物の２重量％〜４０重量％、より好ましくは３重量％〜３０重量％、より好ましくは５重量％〜２０重量％の濃度で存在する、ホスフェート含有ビルダー、典型的には水溶性ホスフェート含有ビルダーを含んでもよい。好適な水溶性ホスフェート含有ビルダーの例は、アルカリ金属トリポリリン酸塩類、ピロリン酸ナトリウム、ピロリン酸カリウム、及びピロリン酸アンモニウム、オルトリン酸ナトリウム、及びオルトリン酸カリウム、平均重合度が６〜２１の範囲であるポリメタリン酸ナトリウム（sodium polymeta/phosphate）、並びにフィチン酸の塩である。
【００５３】
本組成物は、任意に、漂白剤を含んでもよい。典型的には、漂白剤は、本組成物の１重量％〜３０重量％の濃度で存在する。漂白剤は、典型的には、過酸化水素供給源及び漂白剤活性化剤を含む。漂白剤は、漂白剤触媒又は漂白剤促進剤を含んでもよい。存在する場合、漂白剤活性化剤は、典型的には漂白剤の０．５重量％〜４０重量％の濃度で存在する。
【００５４】
典型的には、漂白剤は、過ホウ酸塩漂白剤であり、過ホウ酸ナトリウム（一水和物又は四水和物）を含む。あるいは、漂白剤は、過炭酸塩漂白剤、又は過炭酸塩と過ホウ酸塩との混合物とすることができる。漂白剤は、過カルボン酸漂白剤及び／又はその塩類を含んでもよい。好適な漂白剤類は、米国特許第４，４８３，７８１号及びＥＰ１３３３５４に記載されている。更に、好適な有機過酸化物類、とりわけ、ジアシルペルオキシド類は、カーク・オスマー（Kirk Othmer）、化学技術百科事典（Encyclopedia of Chemical Technology）、１７巻、ジョン・ワイリー・アンド・サンズ（John Wiley and Sons）、１９８２年、２７〜９０頁に、とりわけ６３〜７２頁に記載されている。好適な有機過酸化物類、とりわけ、ジアシルペルオキシド類は、「ポリマー製造用開始剤（Initiators for Polymer Production）」、アクゾ・ケミカル社（Akzo Chemicals Inc.）、製品カタログ、公報番号８８−５７に更に説明されている。
【００５５】
典型的には、過酸素漂白剤、例えば、過ホウ酸塩及び／又は過炭酸塩は、好ましくは漂白剤活性化剤と組み合わせられ、洗浄プロセス中に、対応する過酸がその場で形成されることになる。好適な漂白剤活性化剤類は、米国特許第４，６３４，５５１号、米国特許第４，９１５，８５４号、及び米国特許第４，４１２，９３４号に記載されている。ノナノイルオキシベンゼンスルホネート（ＮＯＢＳ）及びテトラアセチルエチレンジアミン（ＴＡＥＤ）漂白剤活性化剤類、並びにこれらの混合物が、典型的には好ましい。好ましい漂白剤活性化剤類には、（６−オクタンアミドカプロイル）オキシベンゼンスルホネート、（６−ノナンアミドカプロイル）オキシベンゼンスルホネート、（６−デカンアミドカプロイル）オキシベンゼンスルホネート、及びこれらの混合物が挙げられる。
【００５６】
使用できる別の種類の漂白剤活性化剤類は、ベンゾキサジン型漂白剤活性化剤類である。これらは、米国特許第４，９６６，７２３号に記載されている。使用できる別の種類の漂白剤活性化剤類は、アシルラクタム漂白剤活性化剤類、とりわけ、アシルカプロラクタム類、及びアシルバレロラクタム類である。極めて好ましいラクタム漂白剤活性化剤類は、ベンゾイルカプロラクタム、オクタノイルカプロラクタム、３，５，５−トリメチルヘキサノイルカプロラクタム、ノナノイルカプロラクタム、４−ニトロベンゾイルカプロラクタム、及びこれらの混合物から成る群から選択される。
【００５７】
必要に応じて、漂白剤は漂白剤触媒、例えば、マンガンベースの漂白剤触媒を含むことができる。好適な漂白触媒類は、米国特許第５，２４６，６２１号、米国特許第５，２４４，５９４号、米国特許第５，１９４，４１６号、米国特許第５，１１４，６０６号、ＥＰ５４９２７１、ＥＰ５４９２７２、ＥＰ５４４４４０及びＥＰ５４４４９０に記載されている。漂白剤は、米国特許第４，５３９，１３０号、ＧＢ１３８２５９４、米国特許第４，８１８，４２６号、米国特許第５，０９３，０２２号、米国特許第４，９０４，４０６号、ＥＰ５５２８１２及びＥＰ５４００９０などに記載されるものなどの四級置換漂白剤活性化剤を含んでもよい。非酸素系漂白剤類も用いることができる。使用できる非酸素系漂白剤の１種は、スルホン酸化亜鉛及び／又はアルミニウムフタロシアニンなどの光活性化漂白剤である。
【００５８】
本組成物は、好ましくはキレート剤を含む。キレート剤は、重金属イオンを封鎖（即ち、キレート化）する役割をする。また、これらの成分はカルシウム及びマグネシウムキレート化能力を有してもよいが、それらは優先的に、鉄、マンガン及び銅などの重金属イオンを結合する選択性を示す。キレート剤は、一般に、組成物の０．００５重量％〜１０重量％、好ましくは０．１重量％〜５重量％、より好ましくは０．２５重量％〜７．５重量％、及び最も好ましくは０．３重量％〜２重量％の濃度で存在する。本明細書での使用に適当な重金属イオン封鎖剤としては、アミノアルキレンポリ（アルキレンホスホネート類）、アルカリ金属エタン１−ヒドロキシジホスホネート類及びニトリロトリメチレンホスホネート類などの有機ホスホネート類が挙げられる。前記の種の中で好ましいのは、ジエチレントリアミンペンタ（メチレンホスホネート）、エチレンジアミントリ（メチレンホスホネート）ヘキサメチレンジアミンテトラ（メチレンホスホネート）及びヒドロキシエチレン１，１ジホスホネート、１，１ヒドロキシエタンジホスホン酸及び１，１ヒドロキシエタンジメチレンホスホン酸である。
【００５９】
本組成物は、任意に、蛍光増白剤を組成物の０．００５重量％〜５重量％含んでよい。好ましい蛍光増白剤類としては、チバ−ガイギー社（Ciba-Geigy Corporation）により商品名チノパール（Tinopal）−ＵＮＰＡ−ＧＸで市販されている、４，４’，−ビス［（４−アニリノ−６−（Ｎ−２−ビス−ヒドロキシエチル）−ｓ−トリアジン−２−イル）アミノ］−２，２’−スチルベンジスルホン酸及び二ナトリウム塩；チバ−ガイギー社により商品名チノパール（Tinopal）５ＢＭ−ＧＸで市販されている、４，４’−ビス［（４−アニリノ−６−（Ｎ−２−ヒドロキシエチル−Ｎ−メチルアミノ）−ｓ−トリアジン−２−イル）アミノ］−２，２’−スチルベンジスルホン酸二ナトリウム塩；チバ−ガイギー社により商品名チパノール（Tinopal）−ＤＭＳ−Ｘ及びチノパール（Tinopal）ＡＭＳ−ＧＸで市販されている、４，４’−ビス［（４−アニリノ−６−モルフィリノ−ｓ−トリアジン−２−イル）アミノ］２，２’−スチルベンジスルホン酸、ナトリウム塩が挙げられる。
【００６０】
本組成物は、１つ以上の酵素類を含んでもよい。好ましい酵素には、リパーゼ、クチナーゼ、アミラーゼ、中性及びアルカリ性プロテアーゼ、セルラーゼ、エンドラーゼ（endolases）、エステラーゼ、ペクチナーゼ、ラクターゼ、ペルオキシダーゼ、及びこれらの組み合わせが挙げられる。
【００６１】
本組成物は、分散剤類を含んでもよい。典型的には、分散剤は、組成物の０．１重量〜７重量％の濃度で存在する。好適な分散剤類は、アルコキシル化ポリエチレンイミン類、ポリマーのポリカルボキシレート類、及びポリエチレングリコール類である。
【００６２】
また、本組成物は、ポリマー移染防止剤を組成物の０．０１重量％〜１０重量％、好ましくは０．０５重量％〜０．５重量％含んでもよい。ポリマー移染防止剤は、好ましくはポリアミンＮ−オキシドポリマー類、Ｎ−ビニルピロリドンとＮ−ビニルイミダゾールとのコポリマー類、ポリビニルピロリドンポリマー類及びこれらの組み合わせから選択される。これらのポリマーは、架橋ポリマー類とすることができる。
【００６３】
本組成物は、組成物の０．０１重量％〜１５重量％、好ましくは０．０２重量％〜１０重量％、最も好ましくは０．０５重量％〜３重量％の濃度で存在する泡抑制系を含んでもよい。これは、本組成物が自動洗濯機での用途に処方されるとき、特に好ましい。本明細書での使用に好適な泡抑制系は、例えば、シリコーン消泡化合物類及び２−アルキルアルカノール消泡化合物類を含めた、既知のどの消泡化合物を含んでもよい。シリコーン消泡化合物類は、前記で更に詳細に記載されている布帛柔軟化シリコーンに加えて存在する。
【００６４】
本組成物は、典型的には、水、及び／又は、低分子量の一級若しくは二級アルコール類、好ましくはメタノール、エタノール、プロパノール、イソプロパノール、及びこれらの混合物などの他の溶媒を含む。界面活性剤を可溶化するのに一価アルコール類が好ましいが、多価アルコール、例えば２〜約６の炭素原子、及び２〜約６のヒドロキシ基を含有するもの（例えば１，３−プロパンジオール、エチレングリコール、グリセリン、及び１，２−プロパンジオール）を使用してもよい。本組成物は、典型的には、水及び／又は他の溶媒を組成物の５重量％〜９０重量％含む。
【００６５】
本組成物は好ましくは、水性のクリーニング操作で使用する間に、洗浄溶液のｐＨが６．５〜１０、好ましくは７．５〜９となるように処方される。推奨される使用濃度でｐＨを制御する技術には、緩衝剤、アルカリ、及び酸などの使用が挙げられる。
【００６６】
（洗浄中に柔軟化する液体洗濯洗剤組成物）
本組成物は、洗浄プロセス中に布帛をクリーニング及び柔軟化することができる。典型的には、本組成物は、自動洗濯機で使用するように処方されるが、手洗浄用にも処方することができる。本組成物は、１回用量の形態、典型的には小袋の形態であり、ポリビニルアルコールなどの水溶性被膜で封入されてもよい。本組成物は、水溶性材料、好ましくはポリビニルアルコール被膜で少なくとも一部封入、好ましくは完全に封入されてもよい。本組成物の粘度は、周囲条件で２０ｓ−１のせん断速度で測定する場合、典型的には、０．０５Ｐａ・ｓ（５００ｃｐｓ）〜０．３Ｐａ・ｓ（３，０００ｃｐｓ）である。本組成物の密度は、典型的には、８００ｇ／ｌ〜１３００ｇ／ｌである。
【００６７】
典型的には、本組成物は、一般的には分散体の形態であり、通常、体積平均粒径が１μｍ〜５，０００μｍ、好ましくは１μｍ〜５０μｍである。分散体を形成する粒子は、通常、布帛柔軟化シリコーン、また存在する場合は、布帛柔軟化粘土である。
【００６８】
典型的には、コールター・マルチサイザー（Coulter Multisizer）を使用して体積平均粒径を測定する。典型的には、次の方法を使用する。分析される材料０．２５ｇを２５０ｍｌのビーカー内の脱塩水１９９．７５ｇに添加し、混合物を形成する。混合物を磁気攪拌機で１分間混合する。例えば、攪拌速度７５０ｒｐｍのハイドルフ（Heidolph）ＭＲ３００１Ｋ磁気攪拌機及び長さ４０ｍｍ幅８ｍｍの攪拌棒を用いる。次いで、ビーカーをコールター・マルチサイザー（Coulter Multisizer）の試料スタンドに移し、攪拌速度を試料スタンドの１．５の位置に設定し、コールター・マルチサイザーのマノ・セレクタ（mano-selector）を２，０００μｌに設定する。測定時間を２５秒に設定し、測定管の最大開口は１４０μｍである。混合物の体積平均粒径を２回測定し、２つの測定値の結果から、体積変化量の結果（the volume differential results）が考察され、混合物の体積平均粒径が決定される。
【実施例】
【００６９】
（実施例１）
本発明による、洗浄中に柔軟化する液体洗濯洗剤組成物を以下の方法で調製する：非アルコキシル化Ｃ１２〜Ｃ１５直鎖アルキルベンゼンスルホネート陰イオン性界面活性剤８０ｇ、平均エトキシル化度５〜９のＣ１３〜Ｃ１５アルコール非イオン性界面活性剤１０ｇ、クメンスルホン酸ナトリウム７．５ｇ、パーム核脂肪酸３６．５ｇ、ナタネ脂肪酸２０．５ｇ、クエン酸１２．５ｇ、ホウ酸６ｇ及び１−ヒドロキシエタン１，１−ジホスホン酸７．５ｇを、水２３７．７５ｇ、エタノール５ｇ、１，２プロパンジオール４０ｇと一緒に、低速度で混合し（例えば、５００ｒｐｍ未満で攪拌し）、混合物を形成する。ＮａＯＨ及び／又はモノエタノールアミンを用い、ガラス電極を使用して、混合物のｐＨを８．０に調節する。プロテアーゼ２．５ｇ、アミラーゼ０．７５ｇ、香料２．５ｇ及び蛍光増白剤０．７５ｇを、（低速度、例えば、５００ｒｐｍ未満でまだ攪拌されている）混合物に添加する。次いで、モンモリロナイト粘土１７．５ｇを中程度のせん断速度で混合物に添加し（例えば、７００ｒｐｍで攪拌され）、次いで、混合物を中程度のせん断速度で（即ち、７００ｒｐｍで）更に１０分間攪拌する。ポリジメチルシロキサン（ダウ・コーニング・シリコーン（Dow Corning Silicone）ＤＣ２００（商標）１５ｇ、０．１ｍ２／ｓ（１００，０００ｃｓｔ））を注射器を使用して混合物に添加し、混合物を高速で（例えば、１６００ｒｐｍで）更に２０分間攪拌する。最後に、予め結晶化した硬化ヒマシ油０．７５ｇを注射器を使用して混合物に添加し、混合物を高速で（例えば、１８００ｒｐｍで）更に３０秒間攪拌し、洗浄中に柔軟化する液体洗濯洗剤組成物を形成する。
【００７０】
（実施例２）
次の、洗浄中に柔軟化する液体洗濯洗剤組成物は、本発明によるものである。下記の量は、組成物の重量％である。
【表１】
2005524760.tif 000007
【国際調査報告】
2005524760.tif 000008
2005524760.tif 000009
2005524760.tif 000010